(57)【要約】      （修正有）【課題】カラスの習性を利用し、カラスによるごみの食い荒らしを防止でき、かつごみ置き場での使用時に過大に移動したり、風に煽られにくいカラス除けシートを提供する。【解決手段】カラスは視覚的に餌を認識しなければ、餌があっても興味を示さない習性を利用して、表側に遮光シート層１１を配し、かつ裏側に防滑用のネット層１２を配した二層構造のシート本体１３を採用した。これにより、カラスによるごみの食い荒らしを防止できると同時に、ごみ入りポリ袋の山に被せたカラス除けシート１０が滑りにくい。さらには、シート本体１３の外周部にロープ１４を取り付けたため、強風が吹いてもシート１０が煽られにくい。【選択図】図１
0003226287.tif 000002
【実用新案登録請求の範囲】
【請求項１】
表側の遮光シート層と、裏側のネット層とを積層したシート本体を有し、該シート本体の外周部に錘を取り付けたことを特徴とするカラス除けシート。
【請求項２】
前記遮光シート層と前記ネット層とは、シート全域にわたって、縦，横所定ピッチでスポット連結部により連結されていることを特徴とする請求項１に記載のカラス除けシート。
【請求項３】
前記錘は、チェーン、ワイヤ、ロープ、小片体の何れか１つであるとともに、前記シート本体の外周部に、該シート本体の長さ方向の全長にわたって取り付けられたことを特徴とする請求項１または請求項２に記載のカラス除けシート。
【請求項４】
前記シート本体の外周部のみ、または、前記錘には、カラス忌避剤が存在していることを特徴とする請求項１〜請求項３のうち、何れか１項に記載のカラス除けシート。
【考案の詳細な説明】
【技術分野】
【０００１】
本考案は、例えば、ごみ置き場に集められたごみ入りポリ袋を、カラスの被害から守るためのカラス除けシートに関する。
【背景技術】
【０００２】
一般家庭から排出される生ゴミなどは、家庭内でポリエチレン製のゴミ収納袋に詰められ、地域ごとに決められたごみ置き場に集められる。その後、指定時刻にごみ置き場に立ち寄ったゴミ収集車が、これらのゴミ持ち去っている。
【０００３】
例えば、ある地域では、ゴミ専用の公共のゴミ置き場が確保できないことから、ゴミ収集日に街路の片隅をゴミ置き場とし、そこに地域の家庭から持ち込まれたごみ入りポリ袋を、山積み状態にして集められている。
そのため、カラスが生ごみ入りのポリ袋を食い破り、中身が路上に散乱して、周辺に悪臭が立ち込め不衛生になるといったゴミ公害を引き起こしている。
【０００４】
これを解消する従来技術として、例えば、特許文献１に記載のカラス避けネットなどが知られている。これは、ネットの網目を形成する繊維が複数の合成樹脂繊維を撚り合わせた繊維束、または、合成繊維を引き揃えた繊維束によって編織することで作製されたカラス避けネットである。
使用時には、山積みにされたポリ袋の上に、展張状態のカラス避けネットを被せるだけでよい。そのため、利用者はその使い勝手がよく、カラスはネット越しのごみ入りポリ袋には興味を示すものの、ネットが邪魔になりごみ食い荒らすことができなかった。
【先行技術文献】
【特許文献】
【０００５】
【特許文献１】特許第４２１３６５１号公報
【考案の概要】
【考案が解決しようとする課題】
【０００６】
しかしながら、カラスは知性の高い鳥として知られており、カラス避けネットを使い始めてしばらく経つと、利用者のごみ捨て動作を学習し、人のいないごみ置き場に近づき、ネットの端を嘴で持ち上げて袋をネットの中から引き出し、生ごみを食い散らしていた。
そこで、カラス避けネットに代えて、俗にいうブルーシート（ポリエステル系統の合成繊維を合成樹脂製フィルムで挟んだものなど）などを採用することも考えられる。しかしながら、ブルーシートは表面の平滑性が高く、利用者がごみ袋を入れようとシートの端を捲った際にシート全体が移動したり、風に煽られて、シートがごみ入りポリ袋の山の上から位置ずれし易かった。
【０００７】
そこで、考案者は鋭意研究の結果、カラスは視覚的に餌を認識しなければ、その餌に興味を持たないという習性を利用し、ごみ袋の目隠しとなる遮光シート層の裏側に、滑り止めとなるネット層を重ね合わせた二層構造のものを採用すれば、上述した課題を同時に解消できることを知見し、本考案を完成させた。
【０００８】
すなわち、本考案は、カラスの習性を利用し、カラスによるごみの食い荒らしを防止できるとともに、ごみ置き場での使用時に過大に移動したり、風に煽られにくいカラス除けシートを提供することを目的としている。
【課題を解決するための手段】
【０００９】
請求項１に記載の考案は、表側の遮光シート層と、裏側のネット層とを積層したシート本体を有し、該シート本体の外周部に錘を取り付けたことを特徴とするカラス除けシートである。
【００１０】
遮光シート層としては、遮光性を有したシートであれば限定されない。例えば、各種の不透明な合成樹脂シート、不透明な各種の天然繊維製布または各種の合成繊維製布（織布または不織布、表面が樹脂加工されたものを含む）などを採用することができる。
合成樹脂シートの素材としては、例えば、ポリエチレン、ポリプロピレンなどのポリオレフィン系樹脂、塩化ビニル系樹脂、ポリスチレン、ＡＳ樹脂等のスチレン系樹脂、ＰＭＭＡ、ＰＭＳなどのアクリル系樹脂に限らず、ポリカーボネート樹脂、ポリエチレンテレフタレート樹脂、さらにはポリ乳酸、ポリブチレンサクシネート等の生分解性樹脂などを採用することができる。
特に、低密度ポリエチレン、線状低密度ポリエチレン、高密度ポリエチレンなどのポリエチレン系樹脂、ポリエチレンテレフタレートなどのポリエステル系樹脂が好ましい。これらの樹脂は単独で用いてもよいし、数種の樹脂を組み合わせ、混合して用いてもよい。
【００１１】
なお、この遮光シート層（ネット層も同じ）の素材は、耐候性やカラス忌避剤（カプサイシンなど）を有したものが好ましい。
ネット層としては、各種の天然繊維または各種の合成繊維からなるネット（網）を採用することができる。
ネット層の網目サイズは任意である。例えば、１ｍｍ〜１００ｍｍ、好ましくは２ｍｍ〜５０ｍｍである。
【００１２】
遮光シート層とネット層との結合構造は任意である。例えば、遮光シート層の裏面に、ネット層の表面全域を固定してもよいし、その一部のみを固定してもよい。遮光シート層とネット層との結合方法としては、例えば、締着、縫着、接着、融着などを採用することができる。
錘の素材は任意である。例えば、各種の金属（鉄、鋼、鉛など）を採用することができる。
錘の形状は限定されない。例えば、ロープ状、チェーン状、棒状、ブロック状などでもよい。
【００１３】
また、請求項２に記載の考案は、前記遮光シート層と前記ネット層とは、シート全域にわたって、縦，横所定ピッチでスポット連結部により連結されていることを特徴とする請求項１に記載のカラス除けシートである。
遮光シート層とネット層とを連結するスポット連結の形成ピッチは任意である。例えば、数ｃｍ〜数１０ｃｍでもよい。
スポット連結部としては、例えば、縫着部（ミシン縫いを含む）、紐や結束バンドによる締結部、接着部、溶着部などを採用することができる。
【００１４】
請求項３に記載の考案は、前記錘は、チェーン、ワイヤ、ロープ、小片体の何れか１つであるとともに、前記シート本体の外周部に、該シート本体の長さ方向の全長にわたって取り付けられたことを特徴とする請求項１または請求項２に記載のカラス除けシートである。
【００１５】
請求項４に記載の考案は、前記シート本体の外周部のみまたは前記錘には、カラス忌避剤が存在していることを特徴とする請求項１〜請求項３のうち、何れか１項に記載のカラス除けシートである。
【００１６】
カラス忌避剤が存在するのは、シート本体の外周部のうち、その長さ方向の全域が好ましいが、その一部でもよい。
また、カラス忌避剤が存在するのは、錘の全体でもよいし、その一部でもよい。一例を挙げれば、シート本体の外周部の全域にミシンによる袋縫いによって錘通し部を形成し、この錘通し部にカプサイシンやワサビなどからなるカラス忌避剤を含ませたロープを挿通してもよい。この場合、ロープに含まれたカラス忌避剤は、錘通し部のミシン縫いの縫い孔を通して、長期にわたり徐々に外部へ放出される。なお、カラス忌避剤の外部放出量を増やすため、錘通し部に複数の小孔を、錘通し部に適宜（例えば、所定のピッチで）形成してもよい。
カラス忌避剤としては、例えば、カプサイシン、ワサビなどの各種の辛味成分を採用することができる。
【考案の効果】
【００１７】
請求項１に記載の考案によれば、カラスは視覚的に餌を認識しなければ、餌があっても興味を示さない習性がある。このことは、近年の研究から、カラスは聴覚および嗅覚がそれほど発達しておらず、主として視覚により物質を認識しているためと考えられる。
これを利用して、表側に遮光シート層を配し、かつ裏側に防滑用のネット層を配した二層構造のシート本体を採用した。
使用時には、山積みにされたポリ袋の上に、このカラス除けシートを被せることで、表側の遮光シート層によりカラスから餌を見えなくする。これにより、カラスによるごみの食い荒らしを防止できる。しかも、裏側のネット層により、ごみ入りポリ袋の山に被せたカラス除けシートが滑りにくくなる。そのため、利用者がごみ袋を入れようとシートの端を捲っても、シート全体が移動するおそれは少ない。
また、シート本体の外周部に錘を取り付けたため、強風が吹いてもシートが煽られにくい。
【００１８】
特に、請求項２に記載の考案によれば、遮光シート層とネット層とを、シート全域にわたり所定ピッチで配されたスポット連結部により連結したため、遮光シート層およびネット層の素材の特性やサイズ（例えば厚さ）などに応じて、ネット層の防滑性の度合いを適宜変更することができる。
【００１９】
また、請求項３に記載の考案によれば、錘としてチェーン、ワイヤ、小片体の何れかを採用し、これをシート本体の外周部の長さ方向の全長にわたって取り付けたため、使用時、どの方向からの風に対しても均等に錘が作用して、カラス除けシートは煽られにくい。
【００２０】
さらに、請求項４に記載の考案によれば、シート本体は表層が遮光シート層であるため、カラスはシート本体の外周部を捲らなければポリ袋内のごみを漁ることができない。
しかしながら、シート本体の外周部のみまたは錘にはカラス忌避剤が存在するため、カラスはこのカラス忌避剤の影響でシート外周部を捲ることができない。しかも、シート本体全体にカラス忌避剤を配した場合に比べて、低コストでありながら、それと同等の効果が得られる。
【図面の簡単な説明】
【００２１】
【図１】本考案の実施例１に係るカラス除けシートの一部断面図を含む平面図である。
【図２】本考案の実施例１に係るカラス除けシートの一部断面図を含む使用状態の斜視図である。
【考案を実施するための形態】
【００２２】
以下、本考案の実施例を具体的に説明する。
【実施例】
【００２３】
図１および図２に示すように、本考案の実施例１に係るカラス除けシート１０は、遮光シート層１１の裏側に、これと同一サイズのネット層１２を積層して設けたシート本体１３と、シート本体１３の外周部に取り付けられた煽り防止用のロープ（錘）１４とを備えたものである。
【００２４】
以下、これらの部品を具体的に説明する。
シート本体１３は、長さ３ｍ、幅２ｍの表裏２層式のもので、その表層部分を構成する遮光シート層１１は、耐候性を有する黒色のポリエチレンシートである。また、その裏層部分を構成するネット層１２は、耐候性を有するポリエチレン繊維からなる網目サイズが４ｍｍの編布である。
遮光シート層１１とネット層１２とは、重ね合わせて各辺部を袋縫いすることによりシート本体１３となる。袋縫いにより、シート本体１３の各辺部には、錘通し部１５が形成される。また、遮光シート層１１とネット層１２とは、シート全域にわたり、縦横何れの方向へも５ｃｍ〜２０ｃｍのピッチでスポット的に縫着されて、複数のスポット連結部１６が配されている。
また、各錘通し部１５には、１本の長尺なロープ１４が一連に挿通されている。
【００２５】
なお、このロープ１４には、カラス忌避剤であるカプサイシンやワサビの溶液を含侵させて、これを乾燥させたものを採用してもよい。または、ロープ１４にカプサイシンやワサビの粉末を塗したものでもよい。これらの場合、シート本体１３は表層が遮光シート層１１であるため、カラスはシート本体１３の外周部を捲らなければゴミ入りポリ袋１７内のごみを漁ることができない。しかしながら、シート本体１３の外周部の全域にわたって配されたロープ１４にはカラス忌避剤が含まれているため、カラスはこれを嫌がってシート外周部を捲れない。しかも、シート本体１３の全体にカラス忌避剤を含ませた場合と同等の効果が低コストで得られる。
なお、ロープに含まれたカラス忌避剤は、錘通し部のミシン縫いの縫い孔１５を通して、長期にわたり徐々に外部へ放出される。そのため、その効果が長期にわたって得られる。また、カラス忌避剤の外部放出量を増やすため、錘通し部に複数の小孔を、錘通し部１５に適宜（例えば、所定のピッチで）形成してもよい。
【００２６】
次に、図１および図２を参照して、本考案の実施例１に係るカラス除けシート１０の使用方法を説明する。
使用時、山積みにされたごみ入りポリ袋１７の上にカラス除けシート１０を被せる。その結果、表側の遮光シート層１１によりカラスから餌が見えなくなる。カラスは視覚的に餌を認識しなければ、餌があっても興味を示さない習性がある。そこで、この習性を利用して表側に遮光シート層１１を配したため、カラスによるごみの食い荒らしを防止することができる。
また、シート本体１３の裏側に防滑用のネット層１２を配したため、ごみ入りポリ袋１７の山に被せたカラス除けシート１０が滑りにくくなる。
さらには、シート本体１３の外周部にロープ１４を取り付けたため、強風が吹いてもシートが煽られにくい。
【００２７】
さらにまた、遮光シート層１１とネット層１２とを、シート全域にわたり所定ピッチでスポット連結部１６により連結したため、遮光シート層１１およびネット層１２の素材の特性やサイズ（例えば厚さ）などに応じて、ネット層１２の防滑性の度合いを適宜変更することができる。
【００２８】
また、錘としてロープ１４を採用し、これをシート本体１３の外周部の長さ方向の全長にわたって取り付けたため、使用時、どの方向からの風に対しても均等にロープ１４の重さが作用して、カラス除けシート１０は煽られにくい。
【産業上の利用可能性】
【００２９】
本考案は、例えば、ごみ置き場に集められたごみ入りポリ袋を、カラスの被害から守るカラス除けシートとして有用な技術である。
【符号の説明】
【００３０】
１０  カラス除けシート
１１  遮光シート層
１２  ネット層
１３  シート本体
１４  ロープ（錘）
１６  スポット連結部
【図１】
0003226287.tif 000003
【図２】
0003226287.tif 000004